(57)【特許請求の範囲】
【請求項１】
着脱式外部記憶装置が格納部に挿入された場合に、前記着脱式外部記憶装置に対して係止および係止解除を行なう手段を有する着脱作動装置であって、
それぞれがラック部を有する第１および第２のスライダーを上下に配置し、前記第１および第２のスライダーの相対する前記ラック部をこれらラック部の間に配置したピニオンギアーで連結する構造を有し、前記第１および第２のスライダーは第１および第２のアシストバネによりそれぞれ前記着脱式外部記憶装置の排出をアシストするように付勢されており、
前記着脱式外部記憶装置の挿入時に前記第１および第２のアシストバネにバネ力を蓄え、前記着脱式外部記憶装置のイジェクト時に、前記係止を解除した後に、着脱式外部記憶装置の挿入時に前記アシストバネ蓄えられたバネ力をアシスト力として使用し、低荷重で前記着脱式外部記憶装置を前記着脱作動装置から排出することを可能にしたことを特徴とする着脱作動装置。
【請求項２】
前記着脱式外部記憶装置をイジェクトする場合に、前記着脱式外部記憶装置の移動量をさらに増やすために、前記第１のアシストバネにより付勢された第１のスライダーのスライダー排出機構のなかに第３のバネにより付勢された第３のスライダー排出機構を設けたことを特徴とする請求項１に記載の着脱作動装置。
【請求項３】
前記着脱式外部記憶装置をイジェクトする場合に、前記着脱式外部記憶装置が所定の位置まで自動的に排出されると前記着脱式外部記憶装置を仮固定する手段を有することを特徴とする請求項１記載の着脱作動装置。
【請求項４】
前記着脱式外部記憶装置をイジェクトする場合に、前記着脱式外部記憶装置が所定の位置まで低速で排出されるように作用する減速手段をさらに有することを特徴とする請求項１記載の着脱作動装置。
【請求項５】
前記ラック部に着脱式外部記憶装置が低速で排出させるように作用するダンパーが係合されていることを特徴とする請求項４記載の着脱作動装置。
【請求項６】
第１のスライダーと第３のスライダーのそれぞれの係合部に一定間隔の溝を設け、係合部に粘性の高いグリスを塗布して着脱式外部記憶装置が低速で排出するように作用させたことを特徴とする請求項１記載の着脱作動装置。
【発明の詳細な説明】
【技術分野】
【０００１】
本発明は着脱式外部記憶装置等の電子装置の挿入および排出において使用され得る着脱作動装置に関する。特に、例えばハードディスク、光ディスク、フロッピー（登録商標）ディスク等の着脱式外部記憶装置におけるロック、イジェクト機構を備えたイジェクト装置を有し、着脱時に低荷重で操作性に優れた着脱動作を行う着脱作動装置を提供するものである。
【背景技術】
【０００２】
従来のハードディスク等の着脱式外部記憶装置の挿入、排出に使用される着脱作動装置においては、着脱作動装置からの着脱式外部記憶装置の排出は、リンク等のイジェクト操作部材の操作により機構的に排出される構造が採用されている。かかる構造においては、排出荷重が高くなり、着脱時の操作性が問題となっていた。
【０００３】
これらの着脱作動装置においては、例えばイジェクトボタンを２度押すことによりハードディスク等のイジェクトが可能な所謂プッシュイン／プッシュアウト機構が設けてあるイジェクト装置が使用されている場合がある。これらの装置では、着脱式外部記憶装置をイジェクトする時にイジェクトボタンを所定の位置まで押さないとイジェクトボタンが前方に戻ってしまい、ユーザーは再度イジェクト動作をする必要があった。又、着脱式外部記憶装置が挿入されていない状態でイジェクトボタンを間違えて押してしまう危険があった。また、従来の着脱作動装置においては、イジェクトボタンが早く出てしまいイジェクト操作が順調でない場合があった。
【０００４】
ハードディスク等を着脱作動装置に挿入する段階で、ハードディスク等が着脱作動装置に完全に収納される前にイジェクトボタンが着脱作動装置の前方に出てしてしまうと、ユーザはもう一度イジェクトボタンを押す作業をしなければならない。またイジェクトボタンが早く出てしまうと、完全に挿入しない内に戻されるため機構的に不具合を生じる場合がある。
【０００５】
また使用時にハードディスク等が完全に挿入される前にハードディスク等が着脱作動装置から引き出される場合が多々ある。かかる場合にはハードディスク等が挿入されていない状態でイジェクトボタンが飛び出した状態が発生する。イジェクトボタンが早く出ると完全に挿入しないで戻されたときに不具合が生ずる。またかかるイジェクトボタンの飛び出しは挿入、排出のシーケンスを狂わせ操作上の異常を生じさせる。そして、シーケンスが狂った場合、正常な状態に戻らない場合がある。
【特許文献１】特開２００２−２８８９７７
【特許文献２】特開平１１−１３４０６３
【発明の開示】
【発明が解決しようとする課題】
【０００６】
本発明は、例えばハードディスク、光ディスク、フロッピーディスク等の着脱式外部記憶装置におけるロックおよびイジェクト機構を備えたイジェクト装置において、着脱時に低荷重で操作性に優れた着脱作動装置を提供するものである。本発明は、ハードディスク等を完全に挿入した後で、イジェクトボタンを前に出す機構を採用し、イジェクトボタンが外に出ない場合においてはこれを押せない機構を採用するものである。即ち、イジェクトボタンの自動収納が本発明の特徴であり、そして、挿入するときに蓄えられるバネ力によりアシストされて、排出するときに必要とする荷重を小さくするものである。
【課題を解決するための手段】
【０００７】
この明細書の実施例に記載の発明は、着脱式外部記憶装置が格納部に挿入された場合に、前記着脱式外部記憶装置に対して係止および係止解除を行なう手段を有する着脱作動装置であって、それぞれがラック部を有し、第１および第２のアシストバネによりそれぞれ付勢されている第１および第２のスライダーを上下に配置し、第１および第２のスライダーの相対する前記ラック部をこれらラック部の間に配置したピニオンギアーでリンクさせる構造を有し、前記着脱式外部記憶装置の挿入時に前記それぞれのアシストバネにバネ力を蓄え、前記着脱式外部記憶装置のイジェクト時に、前記係止を解除した後に、着脱式外部記憶装置の挿入時に前記アシストバネ蓄えられたバネ力をアシスト力として使用し、低荷重で前記着脱式外部記憶装置を前記着脱作動装置から排出することを可能にしたことを特徴とする着脱作動装置に係る発明を含む。バネを組み込んだ排出機構を備えたことにより、イジェクトは単に機構的に排出される機構に比べてイジェクトの操作性が優り、排出移動量も増やすことが可能になった。
【０００８】
さらに前記着脱式外部記憶装置をイジェクトする場合に、前記着脱式外部記憶装置の移動量をさらに増やすために、前記バネにより付勢された第１のスライダーのスライダー排出機構のなかに第３のバネにより付勢された第３のスライダー排出機構を設けたことを特徴とする着脱作動装置に係る発明を含む。
【０００９】
さらに、前記着脱式外部記憶装置をイジェクトする場合に、前記着脱式外部記憶装置が所定の位置まで自動的に排出されると前記着脱式外部記憶装置を仮固定する手段を有することを特徴とする着脱作動装置に係る発明を含む。イジェクト時に着脱式外部記憶装置を仮固定する機能を持たせたことにより、ハードディスク等の着脱式外部記憶装置の脱落が防止でき、さらに仮固定状態で放置させておくことも可能にした。
【００１０】
さらに、前記着脱式外部記憶装置をイジェクトする場合に、前記着脱式外部記憶装置が所定の位置まで低速で排出されるように作用する減速手段をさらに有することを特徴とする着脱作動装置に係る発明を含む。さらに前記ラック部には着脱式外部記憶装置が低速で排出させるように作用するダンパーが係合されており、又、第１のスライダーと第３のスライダーのそれぞれの係合部に一定間隔の溝を設け、係合部に粘性の高いグリスを塗布している着脱作動装置に係る発明を含む。イジェクト時に着脱式外部記憶装置が所定の位置まで低速で排出される機構を持たせたことにより安全性および排出時の高級感が得られる。
【００１１】
この明細書の実施例に記載の発明は、着脱式外部記憶装置に対して使用される着脱作動装置であって、前記着脱式外部記憶装置が格納される格納部と、前記着脱式外部記憶装置が挿入されたときに前記着脱式外部記憶装置に対して前記着脱作動装置に対する係止および係止の解除を行なう手段と、そして前記着脱式外部記憶装置の前記格納部からの排出機構として、イジェクトボタンを備えたプッシュイン／プッシュアウト機構とを有し、前記イジェクトボタンを押して前記着脱式外部記憶装置を前記格納部から排出させる際、前記イジェクトボタンを所定量押すことにより前記着脱式外部記憶装置が排出されると同時に前記イジェクトボタンが前記着脱作動装置内に自動的に収納される機構を有することを特徴とする着脱作動装置に係る発明を含む。
【００１２】
さらに、前記着脱式外部記憶装置が前記着脱作動装置内の所定位置に挿入されそして係止されるまで、前記イジェクトボタンが排出方向に移動するのを防止する係止手段を有することを特徴とする着脱作動装置に係る発明を含み、またさらに前記係止手段による係止を解除する手段を有し、前記解除手段は前記着脱式外部記憶装置が完全に挿入された後に前記係止手段による停止を解除し、前記イジェクトボタンが排出方向に移動することを可能にすることを特徴とする着脱作動装置に係る発明を含む。係止手段を設けることにより、着脱式外部記憶装置を挿入する工程で、着脱式外部記憶装置が完全に収納される前にイジェクトボタンが出てしてしまうことが防止できる。
【００１３】
さらに、前記イジェクトボタンが前記着脱作動装置内に自動的に収納され、かつ前記着脱作動装置が完全に挿入された後に前記係止手段による停止を解除し、そして前記イジェクトボタンが排出方向に移動を可能にするようにプッシュイン／プッシュアウト機構のためのカム溝形状を形成したことを特徴とする着脱作動装置を含む。
【発明の効果】
【００１４】
本発明によれば、着脱時に低荷重で操作性に優れた着脱作動装置が提供され、ハードディスク、光ディスク、フロッピーディスク等の着脱式外部記憶装置におけるロックおよびイジェクト機構を備えたイジェクト装置において、挿入するときに蓄えられるバネ力によりアシストされて、排出するときに必要とする荷重を小さくする着脱作動装置が形成される。
【００１５】
また本発明によれば、着脱式外部記憶装置の挿入および排出のシーケンスを狂わせ、操作上の異常を生じさせるイジェクトボタンの異常な飛び出しが防止可能な着脱作動装置が形成される。
【発明を実施するための最良の形態】
【００１６】
本発明の目的であるイジェクトボタンの自動収納のために、イジェクトボタンを2回押す構造を採用する。かかる構造においてイジェクトボタンを2回目に押した時にイジェクトボタンは着脱作動装置内に自動的に完全に収納される。
【００１７】
従来の技術においては通常１個のバネで着脱式外部記憶装置を移動させる構造を採用しているが、本発明では少なくとも２個のバネを用いてバネの力を強め、着脱式外部記憶装置を移動させている。イジェクトボタンを所定量押すと、着脱式外部記憶装置が排出されると同時に、イジェクトボタンは着脱作動装置内に自動収納される。イジェクトボタンは2回押す必要があるが、2回目は完全に押さなくとも着脱式外部記憶装置のイジェクトは可能である。
【００１８】
奥行き制限がある着脱作動機構に対応するため、従来装置で採用されている縦型構造に対し、この実施例に記載の構成においては横型構造採用する。横型構造にすることにより、着脱作動機構の奥行きを短くできると共に、コネクタのピン数を増やすことができる。横長構造にしたため、単一のスライダーを使用する構造に代えて、上下に２個のスライダを配置してピニオンギアーで連結する構造を採用した。
【００１９】
イジェクト時に着脱式外部記憶装置が所定の位置まで低速で排出されるように、第１のスライダーのラック部に係合するグリスまたは粘性材料を封入したダンパーを使用した。又、第１のスライダーと第３のスライダーのそれぞれの係合部１−ａ−２−５，１−ａ−６−２に一定間隔の溝を設け、係合部に粘性の高いグリスを塗布して着脱式外部記憶装置が低速で排出するように作用させた。
【００２０】
バネを組み込んだスライダー排出機構のなかにさらにバネを組み込んだスライダー排出機構を設け、バネを上下に配置して、ピニオンで繋いで小スペースで排出する。
【００２１】
図１に着脱作動装置１に着脱式外部記憶装置２が挿入される前の状態を下側より診た場合を示す。
【００２２】
なお、本願明細書において上下、左右、または前後等の方向を表す表記は添付した図面を基準に表記するもので、本装置の実際の使用状態を示すものとは限らない。
【００２３】
着脱式外部記憶装置２は、偏平状の筐体２−３内に、例えばハードディスク、光ディスク、フロッピディスクや電子機器の着脱式外部記憶装置等とそれらの駆動装置（図示せず）を内臓する。筺体２−３の挿入側端部２−４には着脱作動装置１と電気接続するための接続用コネクタを露呈させる開口部（図示せず）を有し、筐体２−３内には上記接続用コネクタ（図示せず）を有している。
【００２４】
一方、着脱作動装置１の後方部分には、着脱式外部記憶装置２の接続用コネクタと接続し通信等を行なうコネクタ１−ｄが装着されている。コネクタ１−ｄの横には着脱式外部記憶装置２の冷却用のファン１−ｅを設置した事例が示されている。
【００２５】
着脱式外部記憶装置２の側部にはガイド溝２−５およびロック溝部２−１が形成されている。着脱式外部記憶装置２はそのガイド溝部２−５が着脱作動装置１の突起ガイド１−ｂ−４と係合して着脱作動装置１内を移動する。またロック溝部に着脱作動装置１に設けられたロックプレート１−ａ−２４のロック部１−ａ−２４−３（図示せず）が入り込み、挿入された着脱式外部記憶装置２を着脱作動装置１に係止する。またこの実施例においては着脱式外部記憶装置２を使用する電子装置本体（図示せず）に着脱作動装置１を電気接続する複数の接続ピンが２列に配置されたコネクタ１−ｆが設けられている。また電気ケーブル用のクランプフック１−ｇおよび着脱作動装置筐体を電子装置本体に取り付けるための取り付け部品１−ｈが所定の位置に設けられている。
【００２６】
図２は着脱作動装置１の格納部に着脱式外部記憶装置２が完全に挿入された状態を示す。前面右側にイジェクトボタン１−ａ−１４が配置されている。イジェクトボタン１−ａ−１４を着脱作動装置１の内部方向に押すことにより着脱式外部記憶装置２を着脱作動装置１の格納部から排出することが可能となる。
【００２７】
図３は着脱作動装置１の主要な構成部品を示す部品分解図である。ガイドフレーム右側アセンブリ１−ａ、ガイドフレーム左側アセンブリ１−ｂ、主として着脱式外部記憶装置２を収容するブラケット１−ｃ、そして着脱式外部記憶装置２の保護のためのフィルム１−ｃ−２が図示されている。この実施例においてフィルム１−ｃ−２はブラケットの挿入口側に貼り付けられる。
【００２８】
ガイドフレーム右側アセンブリ１−ａはイジェクトおよびロック機構が組み込まれた着脱式外部記憶装置２のガイド溝２−５に組合わせられる右側突起ガイド（図示せず）を有する。ガイドフレーム左側アセンブリ１−ｂも着脱式外部記憶装置の左側ロック溝に対応する左側突起ガイド１−ｂ−４を有する。左右のガイドフレーム１−ａおよび１−ｂは取り付けネジ１−ｃ−１を用いてブラケット１−ｃに固定される。なお、この実施例においては、ブラケット１−ｃの着脱式外部記憶装置挿入側１−ｃ−３上部に、着脱式外部記憶装置２の保護のためのフィルム１−ｃ−２が取り付けられた構造を有する。
【００２９】
図４にガイドフレーム右側アセンブリ１−ａの構成部品を示す。右側ガイドフレーム１−ａ−１は、着脱式外部記憶装置２の右側ガイド溝２−５（図１参照）に対応するガイド突起（図示せず）を有する。
【００３０】
ガイドフレーム右側アセンブリ１−ａは、主として、イジェクトボタン１−ａ−１４、スライダーＣ１−ａ−６が組み込まれたスライダーＡ１−ａ−２、スライダーＢ１−ａ−４、外部装置接続コネクタ１−ａ−４３を有し、その他、ロックプレート１−ａ−２４、プッシュプレート１−ａ−２０、カムプレート１−ａ−１６、ピニオンギアー１−ａ−８、ダンパー１−ａ−２６、ストップスプリング１−ａ−２７、基板アセンブリ１−ａ−２９等によって動作が制御される。
【００３１】
スライダーＡ１−ａ−２は、着脱式外部記憶装置２に接触して動作する排出フック１−ａ−２−１を有する。そして、その上部にはピニオンギアー１−ａ−８と組み合わせて動作するラック１−ａ−２−６が設けられている。さらにスライダーＡ１−ａ−２にはスライダーＡ１−ａ−２を排出方向に付勢するイジェクトスプリングＡ１−ａ−３が組み込まれている。
【００３２】
また、スライダーＡ１−ａ−２の内部には、スライダーＣ１−ａ−６が組み込まれている。スライダーＣは、着脱式外部記憶装置２の排出時に着脱式外部記憶装置２の排出移動量を増加するように、そして排出荷重を低減するように動作する。このためスライダーＣ１−ａ−６にはスライダーＣを排出方向に付勢するイジェクトスプリングＣ１−ａ−７が組み込まれている。
【００３３】
スライダーＢ１−ａ−４には、着脱式外部記憶装置のイジェクト時にイジェクトボタン１−ａ−１４からの押し力をピニオンギアー１−ａ−８に伝達させるラック１−ａ−４−３が設けられれている。スライダーＡ１−ａ−２のラックは上向きに、スライダーＢ１−ａ−４のラック）は下向きに形成され、ピニオンギアー１−ａ−８を介して連結している。また、スライダーＢ１−ａ−４にはイジェクトスプリングＢ１−ａ−５が組み込まれている。スライダーＢ１−ａ−４はプッシュプレート１−ａ−２０を介してイジェクトボタン１−ａ−１４と組み合わされている。
【００３４】
ピニオンギアー１−ａ−８は、スライダＢのラック１−ａ−４−３とスライダーＡのラック１−ａ−２−６の間に配置される。ピニオンギアー１−ａ−８は、記憶装置２の挿入時にはスライダーＡ１−ａ−２の移動をスライダーＢ１−ａ−４に伝達させ、記憶装置２の排出時にはスライダーＢ１−ａ−４の移動をスライダーＡ１−ａ−２に伝達させる。ピニオンギアー１−ａ−８は右側ガイドフレーム１−ａ−１に、ワッシャー１−ａ−１０を介してネジ１−ａ−９により固定されている。
【００３５】
尚、イジェクトスプリングＡ１−ａ−３はスライダーＡ１−ａ−２の固定穴１−ａ−２−２にスプリングピン１−ａ−１１により係止され、反対側は右側ガイドフレーム１−ａ−１の固定穴部１−ａ−１−１に通したスプリングピン１−ａ−１２により係止されている。
【００３６】
また、イジェクトスプリングＢ１−ａ−５は、スライダーＢ１−ａ−４のフック部１−ａ−４−１に固定され、反対側は右側ガイドフレーム１−ａ−１の固定穴部１−ａ−１−２に通したスプリングピン１−ａ−１３に係止されている。
【００３７】
また、イジェクトスプリングＣ１−ａ−７はスライダーＣ１−ａ−６に貫通した穴１−ａ−６−１に通した平行ピン１−ａ−１−１４により係止され、さらに平行ピン１−ａ−１−１４はスライダーＡ１−ａ−２のガイド長穴１−ａ−２−３部に挿入されて直進運動が制御させている。反対側はスライダーＡ１−ａ−２のフック部１−ａ−２−４に係止されている。
【００３８】
このためスライダーＡ１−ａ−２およびスライダーＣ１−ａ−６は常時左方向に付勢され、スライダーＢ１−ａ−４は常時右方向に付勢され、各スプリングはいずれも着脱式外部記憶装置２の排出をアシストするように付勢する。
【００３９】
排出用のイジェクトボタン１−ａ−１４には、プッシュイン／プッシュアウトのための機構部品であるカムピン１−ａ−１５がカシメにより取り付けられたカムプレート１−ａ−１６が取り付けられている。カムプレート１−ａ−１６はイジェクトボタン１−ａ−１４に圧入されたカムシャフト１−ａ−１７によって回転可動状態で組み込まれている。又、カムプレート１−ａ−１６の先端に取り付けられている上記カムピン１−ａ−１５を常時カム軌跡（図２４参照）側に付勢させるために、カムスプリング１−ａ−１８がイジェクトボタン１−ａ−１４とカムプレート１−ａ−１６の間に取り付けられている。
【００４０】
またイジェクトボタン１−ａ−１４を常に前方に付勢させるためのイジェクトボタン圧縮スプリング１−ａ−１９がスライダーＢ１−ａ−４との間に組み込まれている。
【００４１】
右側ガイドフレーム１−ａ−１に組み込まれているプッシュプレート１−ａ−２０は、イジェクト時にイジェクトボタン１−ａ−１４からの押し力をカムプレート１−ａ−１６を介してスライダーＢ１−ａ−４に伝える。即ち、プッシュプレート１−ａ−２０は、イジェクトボタンを押した場合に、イジェクトボタンの移動にリンクしてカムプレート１−ａ−１６がプッシュプレート１−ａ−２０を押し、プッシュプレートの先端のカム押し部１−ａ−２０−３がロックプレート１−ａ−２４のロックプレートロック制御部１−ａ−２４−２に形成されたカムを回転させ、着脱式外部記憶装置２に対するロックを解除する。説明補足図26参照またプッシュプレート１−ａ−２０に形成されたフック部１−ａ−２０−１によりスライダーＢ１−ａ−４を付勢し、イジェクトボタンの押し力をスライダーＢに伝える。説明補足図22参照
またプッシュプレート１−ａ−２０を常にイジェクトボタン１−ａ−１４側に付勢させるためのプレート圧縮スプリング１−ａ−２１がスライダーＢ１−ａ−４の中に組み込まれており、片側はスライダーＢ１−ａ−４の貫通穴に挿入されたスプリングピン１−ａ−２２で固定されている。
【００４２】
ロックプレート１−ａ−２４は、着脱式外部記憶装置２が着脱作動装置１の格納部に挿入された場合には着脱式外部記憶装置２のロック溝２−１に入り込むことによって着脱式外部記憶装置２を着脱作動装置１に係止固定させ、イジェクト時にはロック溝２−１から離れることにより係止を解除する。ロックプレート１−ａ−２４は、右側ガイドフレーム１−ａ−１の貫通穴に挿入されたロックシャフト１−ａ−２３によって回転可動に取り付けられている。
【００４３】
ロックプレート１−ａ−２４を常に固定回転方向（即ちロックする方向）に付勢させるためのロックスプリング１−ａ−２５が右側ガイドフレーム１−ａ−１とロックプレート１−ａ−２４の間に組み込まれている。
【００４４】
ダンパー１−ａ−２６が右側ガイドフレーム１−ａ−１に装着されている。ダンパー１−ａ−２６はスライダーＡ１−ａ−２のラック１−ａ−２−６に係合し、スライダーＡ１−ａ−２の運動を制限し、イジェクト時に着脱式外部記憶装置２が低速で排出させるように作用する。
【００４５】
ストップスプリング１−ａ−２７は右側ガイドフレーム１−ａ−１に装着されている。ストップスプリング１−ａ−２７は着脱式外部記憶装置２が排出時に飛び出さないために、着脱式外部記憶装置２の仮固定溝２−６と係合して着脱式外部記憶装置２を着脱作動装置１に仮固定させる。着脱式外部記憶装置が所定の位置まで自動で排出されると仮固定されるのは、図１３に示すように、ストップスプリング１−ａ−２７）が右側ガイドフレーム１−ａ−１に装着されているためである。
【００４６】
この実施例においては、基板アセンブリ１−ａ−２９が右側ガイドフレーム１−ａ−１内に設置されている。またこの実施例においては、基板アセンブリ１−ａ−２９には着脱式外部記憶装置２の挿入状態、着脱作動装置１の機構状態を検出する３個のスイッチと外部接続用コネクタが搭載されている。スライダ検出スイッチは着脱式外部記憶装置２が挿入されたかどうかを検出し、ロックバー検出スイッチはロックプレートがロックしているかどうかを検出し、イジェクトボタン位置検出スイッチはイジェクトボタンの位置を検出する。
【００４７】
さらに着脱式外部記憶装置２の挿入時にＧＮＤアース用として接地ターミナル１−ａ−２８が右側ガイドフレーム１−ａ−１後方に装着される。
【００４８】
また、スライダーＢ１−ａ−４にはイジェクトボタン１−ａ−１４を引き込むためのリンクプレート１−ａ−３０が圧入されている。
【００４９】
図５にガイドフレーム左側アセンブリ１−ｂの構成部品を示す。この実施例では左側アセンブリ１−ｂは主として左側ガイドフレーム１−ｂ−１、ストップスプリング１−ｂ−２、そして接地ターミナル１−ｂ−３によって構成されている。
【００５０】
左側ガイドフレーム１−ｂ−１は着脱式外部記憶装置２の左側ガイド溝（図示せず）に対応したガイド突起１−ｂ−４（図示せず。図３参照）を有する。またストップスプリング１−ｂ−２は、着脱式外部記憶装置２が排出時に外に飛び出さないように仮固定させるため、左側ガイドフレーム１−ｂ−１に装着される。また接地ターミナル１−ｂ−３は着脱式外部記憶装置２の挿入時に接地用として左側ガイドフレーム１−ｂ−１の後方に装着されてる。
【００５１】
イジェクト装置の動作概要
以下イジェクト装置の動作概要を示す。図６〜図１２に着脱式外部記憶装置２および着脱作動装置１の動作状態を示す。図６〜図１２の各（ａ）、（ｂ）、（ｃ）は同一部分について示す図面である。例えば図６について説明すると、図６（ａ）は図６（ｂ）のＣ−Ｃ‘の断面図である。（ｂ）は図６（ａ）のＡ−Ａ‘の断面図である。図６（ｃ）は板金を取り外した側面図である。
【００５２】
１）図６に着脱式外部記憶装置２が着脱作動装置１から排出された状態を示す。各構成要素の状態を説明する。
【００５３】
１−１）スライダーＡ１−ａ−２は、イジェクトスプリングＡ１−ａ−３によって図６の左方向に引っ張られて、左端の定位置に位置している。
【００５４】
１−２）スライダーＢ１−ａ−４は、イジェクトスプリングＢ１−ａ−５によって図６の右方向に引っ張られて、右端の定位置に位置いる。
【００５５】
１−３）スライダーＡ１−ａ−２内に組み込まれたスライダーＣ１−ａ−６は、イジェクトスプリングＣ１−ａ−７によって図６の左方向に引っ張られ、左端の定位置に位置している。
【００５６】
１−４）イジェクトボタン１−ａ−１４は、イジェクトボタン１−ａ−１４の凸部１−ａ−１４−２（図４についても参照されたい）とリンクプレート１−ａ−３０（図４についても参照されたい）が係合して右方向に引っ張られ、右側ガイドフレーム１−ａ−１内に収納されている。
【００５７】
なお、リンクプレート（１−ａ−３０）はスライダーＢ１−ａ−４の左端に固定されている。スライダーＢ１−ａ−４が右端の定位置に位置する場合にはリンクプレート（１−ａ−３０）がイジェクトボタン１−ａ−１４に形成された凸部１−ａ−１４−２を右方向に引っ張るように作用してイジェクトボタン１−ａ−１４を着脱作動装置１内に収納させる。図２３参照。
【００５８】
１−５）プッシュプレート１−ａ−２０は図６において右側に移動しており、プッシュプレート１−ａ−２０のロック制御部１−ａ−２０−２によってロックプレート１−ａ−２４は回転を抑制されている。即ち、ロックプレートのロック部１−ａ−２４−３が下側に位置しており、着脱式外部記憶装置２に対するロック部１−ａ−２４−３によるロックを開放した状態になっている。
【００５９】
プッシュプレート１−ａ−２０とスライダーＢ１−ａ−４との結合関係を例えば図２２に示す。プッシュプレート１−ａ−２０のフック部１−ａ−２０−１がスライダーＢ１−ａ−４のスリット部１−ａ−４−２内に挿入されている。
【００６０】
プッシュプレート１−ａ−２０のロック制御部１−ａ−２０−２によってロックプレート１−ａ−２４は回転を抑制され、ロック部１−ａ−２４−３によるロックを開放している状態を例えば図２７に示す。ロックプレートロック部１−ａ−２４−３に形成された溝部１−ａ−２４−４にロック制御部１−ａ−２０−２が入っている。
【００６１】
２）図７に着脱式外部記憶装置２が着脱作動装置１に挿入された後の挿入途中の状態を示す。着脱式外部記憶装置２は、スライダーＡ１−ａ−２およびスライダーＣ１−ａ−６の排出フックをその側面で押しながら挿入される。
【００６２】
２−１）着脱式外部記憶装置２が着脱作動装置１に挿入されると、着脱式外部記憶装置２の挿入先端部２−７がスライダーＣ１−ａ−６の排出フック１−ａ−６−４（図１６参照）を押し、着脱式外部記憶装置２およびスライダーＣ１−ａ−６を挿入方向である右方向に移動させる。スライダーＣ１−ａ−６は、スライダーＣ１−ａ−６のフック部（スプリングピン１−ａ−１４）によってイジェクトスプリングＣ１−ａ−７を引っ張りながら着脱式外部記憶装置２と共に図７の右方向に移動する。
【００６３】
２−２）さらに着脱式外部記憶装置２が挿入され、スライダーＣ１−ａ−６が右方向に最大移動すると、着脱式外部記憶装置２の挿入先端部２−７が次にスライダーＡ１−ａ−２の排出フック１−ａ−２−１（図１６参照）を押し、挿入方向である右方向にさらに移動させる。スライダーＡ１−ａ−２は、スライダーＡ１−ａ−２のフック部（スプリングピン１−ａ−１１）によってイジェクトスプリングＡ１−ａ−３を引っ張りながら図７の右方向に移動する。
【００６４】
２−３）図７の状態は挿入途中であり、スライダーＡ１−ａ−２がピニオンギアー１−ａ−８に接触する直前の状態である。
【００６５】
３）図８は着脱式外部記憶装置２が着脱作動装置１に完全挿入された状態を示す。図８に示すように着脱式外部記憶装置にロック溝部２−１があり、着脱式外部記憶装置２をロックするロックプレートの突起部１−ａ−２４−３がこの溝部に入り、ここで着脱式外部記憶装置は係止される。
【００６６】
３−１）着脱式外部記憶装置２が図７の状態からさらに挿入されると、スライダーＡ１−ａ−２のラック部１−ａ−２−６によってピニオンギアー１−ａ−８が回転しラック１−ａ−４−３を介してスライダーＢ１−ａ−４を左方向に移動させる。スライダーＢ１−ａ−４はイジェクトスプリングＢ１−ａ−５を引っ張りながら図８の左方向に移動する。
【００６７】
３−２）着脱式外部記憶装置２の挿入により、着脱式外部記憶装置２に内臓されているコネクタ２−ａが着脱作動装置１に装着されている相手コネクタ１−ｄ（図１３参照）と係合状態になる。
【００６８】
３−３）スライダーＢ１−ａ−４の左方向への移動に伴い、スライダーＢ１−ａ−４と組合わされたプッシュプレート１−ａ−２０は図左方向に移動する。このためプッシュプレート１−ａ−２０のロック制御部１−ａ−２０−２（図２２参照）も左方向に移動する。このためロック制御部１−ａ−２０−２はロック制御部１−ａ−２４−２の溝部１−ａ−２４−４から引き抜かれる。このためロックプレート１−ａ−２４が回転可能となり（図２６参照）反時計回りに回転可能となる。そして着脱式外部記憶装置２のロック溝部２−１にロックプレート１−ａ−２４のロック部１−ａ−２４−３が係合され、着脱式外部記憶装置２の排出が阻止される。
【００６９】
３−４）ロックプレート１−ａ−２４が回転すると、イジェクトボタン１−ａ−１４のロック部１−ａ−１４−１が右側ガイドフレーム１−ａ−１に設けられたロック部１−ａ−１−５に係合した状態（図１４、図１５参照）から、ロックプレートの終端部１−ａ−２４−１がイジェクトボタンのロック部１−ａ−１４−１を付勢し上記係合した状態からロック部１−ａ−１４−１を開放する。
【００７０】
ロックを開放することによりイジェクトボタン１−ａ−１４は前方に移動しカムピン１−ａ−１５は右側ガイドフレーム１−ａ−１に設けたカム溝形状１−ａ−１−４のロック部e位置からカムロック位置１−ａ−５０  a位置に移動して止まる。aの高さはeよりも低い為、カムピン１−ａ−１５はカムスプリング１−ａ−１８によってカム溝方向に付勢されているため、e位置には戻らない。（図２４参照）
イジェクトボタンのロック部１−ａ−１４−１が右側ガイドフレーム１−ａ−１のロック部１−ａ−１−５と係合していたロックを開放する直前の状態を図１４、図１５に示す。
【００７１】
図１４はイジェクトボタンのロック部１−ａ−１４−１が右側ガイドフレーム１−ａ−１のガイドのロック部１−ａ−１−５に係止されている状態を示す図である。
【００７２】
上記ロックを開放する機構について図１７により説明する。ロックプレート１−ａ−２４がロックシャフト１−ａ−23を軸として反時計回り回転することにより、ロックプレート１−ａ−２４の終端部１−ａ−２４−１が上方に回転する。このためイジェクトボタン１−ａ−１４のロック部１−ａ−１４−１の先端に設けられたタブ１−ａ−１４−３を上方に押し上げ、ロック部１−ａ−１４−１を持ち上げる。このため、右側ガイドフレーム１−ａ−１のロック部１−ａ−１−５（図１４参照）と係合していたロック状態を開放する。
【００７３】
４）図９に着脱式外部記憶装置２がイジェクトされる工程１を示す。
【００７４】
４−１）着脱式外部記憶装置２を排出させるためのイジェクトボタン１−ａ−１４はプッシュイン／プッシュアウト機構が設けてあり最初にイジェクトボタン１−ａ−１４を例えばこの実施例においてはおよそ２ｍｍほど押す。イジェクトボタンについて１回目を押すとロックが解除する。カムピン１−ａ−１５は右側ガイドフレーム１−ａ−１に設けたカム溝形状１−ａ−１−４のロック部a位置からb位置に移動する。ｂの高さはaよりも低い為、カムピン１−ａ−１５はカムスプリング１−ａ−１８によってカム溝方向に付勢されているため、a位置には戻らない。（図２４参照）
４−２）次にジェクトボタン１−ａ−１４から手を離すと、イジェクトボタン１−ａ−１４はイジェクトボタン圧縮スプリング１−ａ−１９によって最大飛び出し位置に移動する。カムピン１−ａ−１５は右側ガイドフレーム１−ａ−１に設けたカム溝形状１−ａ−１−４のｂ位置から一番溝深さの浅いｃ位置を越えてｄ位置まで移動する。ｄ位置の高さはcよりも低い為ｃ位置にはもどらない。（図２４参照）
尚、イジェクトボタン１−ａ−１４にはボタンストッパー用の突起１−ａ−１４−５が形成されており右側ガイドフレーム１−ａ−１の係合する溝部１−ａ−１−１６によって前方に飛び出すのを制御している。
【００７５】
５）図１０に着脱式外部記憶装置２がイジェクトされる工程２を示す。
【００７６】
５−１）次にイジェクトボタン１−ａ−１４を一定量押すと、イジェクトボタン１−ａ−１４に圧入されたカムシャフト１−ａ−１７に回転可動に組み込まれたカムプレート１−ａ−１６を介してプッシュプレート１−ａ−２０のロック制御部１−ａ−２０−２を図右方向に移動させる。ロック制御部１−ａ−２０−２はロックプレート１−ａ−２４をロック解除方向に（図１０においてロックプレートのロック部１−ａ−２４−３を下方に）回転させ、着脱式外部記憶装置２の側壁に形成されたロック溝２−１から離脱させロック解除状態となる。
【００７７】
以下詳細に説明する。図２６はロック解除前の状態を示す。プッシュプレート１−ａ−２０は移動前であり、ロックプレート１−ａ−２４はロックシャフト１−ａ−２３を軸に反時計回りに回転して記憶装置２はロックされた状態にある。即ち、例えば図９に示すようにロックプレート１−ａ−２４のロック部１−ａ−２４―３が、記憶装置側壁のロック溝２−１に入り込んで記憶装置２の排出方向の移動に対してロックしている図９の状態に対応する。
【００７８】
図２７はロック解除の状態を示す。イジェクトボタン１−ａ−１４を一定量押すことにより、プッシュプレート１−ａ−２０が左方向に移動する。このため、ロック制御部１−ａ−２０−２のカム押し部１−ａ−２０−３がロックプレートロック制御部１−ａ−２４−２の溝部１−ａ−２４−４の中に入り、ロックプレート１−ａ−２４を時計回りに回転させる。このため、ロック部１−ａ−２４―３は記憶装置のロック溝２−１から外れ、ロック状態から開放する。図１０の状態に対応する。
【００７９】
なお、図２１に示すようにスライダーＢ１−ａ−４のスリット部１−ａ−４−２の横方向の幅はプッシュプレート１−ａ−２０のフック部１−ａ−２０−１の幅より長いので、ロックプレート１−ａ−２４が完全に回転しロックが解除が完了するまではスライダーＢ１−ａ−４の移動は開始しない。
【００８０】
５−２）さらにイジェクトボタン１−ａ−１４を一定量押すと、図２１に示すようにプッシュプレート１−ａ−２０のフック部１−ａ−２０−１がスライダーＢ１−ａ−４のスリット部１−ａ−４−２に挿入されているため、スライダーＢ１−ａ−４が右方向に（図２１においては左方向に）移動する。このため、ピニオンギアー１−ａ−８が時計回りに回転し、スライダーＡ１−ａ−２が図左方向に移動する。スライダーＡ１−ａ−２の移動に伴い、着脱式外部記憶装置２が図左方向に排出され、着脱式外部記憶装置２に内臓されているコネクタ２−ａが着脱作動装置１に装着されている相手コネクタ１−ｄと離脱される。
【００８１】
６）図１１に着脱式外部記憶装置２がイジェクトされる工程（３）を示す。
【００８２】
６−１）コネクタ２−ａが相手コネクタ１−ｄから離脱されると、イジェクトスプリングＡ１−ａ−３によってスライダーＡ１−ａ−２はさらに図左方向に移動し、排出フック１−ａ−２−１により着脱式外部記憶装置２を自動的に排出させる。
【００８３】
６−２）またスライダーＢ１−ａ−４はイジェクトスプリングＢ１−ａ−５によって図の右方向に移動する。スライダーＢ１−ａ−４に圧入固定されたリンクプレート１−ａ−３０は、イジェクトボタン１−ａ−１４の凸部１−ａ−１４−２に係合してイジェクトボタン１−ａ−１４を右側ガイドフレーム１−ａ−１内に収納させる。
【００８４】
この工程のカムピン１−ａ−１５の位置はカム溝形状１−ａ−１−４のe位置に移動する。（図２４参照）
イジェクトボタンの自動収納機構について説明する。図１０〜図１２に示すようにリンクプレート１−ａ−３０はスライダーＢ１−ａ−４の左端に係合されている。リンクプレート１−ａ−３０のスリット１−ａ−３０−１内にイジェクトボタン１−ａ−１４の凸部１−ａ−１４−２が入り組合わされている。スライダーＢ１−ａ−４の右方向への移動に伴って、スライダーＢに係合されたリンクプレート１−ａ−３０も右方向に移動する。イジェクトボタンの凸部１−ａ−１４−２がリンクプレートのスリット１−ａ−３０−１内に組合わされている。イジェクトボタンの凸部１−ａ−１４−２は、スリット内の左端部１−ａ−３０−２により押されて右方向に移動する。このようにしてイジェクトボタンは装置内に自動収納される。図２３にイジェクトボタン１−ａ−１４、イジェクトボタン１−ａ−４の凸部１−ａ−１４−２、リンクプレート１−ａ−３０、そしてスライダーＢ１−ａ−４の結合状態を示す。
【００８５】
スライダーＡ１−ａ−２およびスライダーＢ１−ａ−４はイジェクトスプリング１−ａ−３および１−ａ−５が組み込まれているため、イジェクトボタン１−ａ−１４を押す力は低荷重でも着脱式外部記憶装置２の排出が可能となり、またスライダーを組合わせ使用することで低動作量で排出が可能となる。
【００８６】
７）図１２および図１３に着脱式外部記憶装置２がイジェクトされる工程（４）を示す。
【００８７】
７−１）スライダーＡ１−ａ−２のみピニオンギアー１−ａ−８からはずれ、イジェクトスプリングＡ１−ａ−３に付勢されてさらに図左方向に移動し、着脱式外部記憶装置２をさらに自動排出させるため移動させる。
【００８８】
７−２）さらにスライダーＡ１−ａ−２に内臓されたスライダーＣ１−ａ−６はイジェクトスプリングＣ１−ａ−７の付勢によって図左方向に移動する。このためスライダーＣ１−ａ−６排出フック１−ａ−６−４により押圧して着脱式外部記憶装置２を仮ロック位置まで排出させる。
【００８９】
７−３）図１３に示すように、この位置で右側ガイドフレーム１−ａ−１に装着されているストップスプリング１−ａ−２７、及び左側ガイドフレーム１−ｂ−１に装着されているストップスプリング１−ｂ−２が着脱式外部記憶装置２の仮固定溝２−６に係合されて仮ロック状態となる。図１３に着脱式外部記憶装置２が仮ロックされた状態を示す。仮ロックされた着脱式外部記憶装置２は手で引き抜くことにより取り外すことができる。
【００９０】
この実施例においては、着脱式外部記憶装置２の排出速度を制御するための減速手段を備えることができる。図６に示すように、スライダーＡ１−ａ−２は常に減速特性を持ったダンパー１−ａ−２６のピニオンギアーと係合している。このダンパー１−ａ−２６が着脱式外部記憶装置２の排出速度を減速させる。ダンパー（１−ａ−２６）内にグリスまたは粘性材料を封入することにより減速特性を増加させることができる。
【００９１】
さらにスライダーＣ１−ａ−６について減速特性を持たせるため、図１６に示すように、スライダーＡ１−ａ−２との係合部１−ａ−２−５、及び対応するスライダーＣ１−ａ−６の係合部１−ａ−６−２に一定間隔の溝を設け、係合部に粘性の高いグリスを塗布させて減速特性を付加させることができる。
【００９２】
図１６にスライダーＡとスライダーｂの組み合わせ関係を示す。スライダーＡ１−ａ−２の移動量とスライダーＣ１−ａ−６の移動量との組合わせが着脱式外部記憶装置２の移動量となる。
【００９３】
図１７にロックプレート１−ａ−２４の終端部１−ａ−２４−１とイジェクトボタン１−ａ−１４の先端のロック部１−ａ−１４−１の位置関係を示す。ロックプレート１−ａ−２４の反時計回りの回転により終端部１−ａ−２４−１が上方に回転し、イジェクトボタン１−ａ−１４の先端のタブ１−ａ−２４−３を持ち上げることによりロック部１−ａ−１４−１を持ち上げることができる。
【００９４】
図１８はイジェクトボタン１−ａ−１４およびロックプレート１−ａ−２４が右側ガイドフレーム−アセンブリ１−ａに組み込まれた状態を示し、イジェクトボタン１−ａ−１４のロック部１−ａ―１４−１がガイドフレーム１−ａ−１のロック部１−ａ−１−５に係止されている状態を示す。
【００９５】
図１９はスライダーＡの中にスライダーＣが組み込まれた状態を示す。
【００９６】
図２０にイジェクトボタン１−ａ−１４、カムプレート１−ａ−１６、カムスプリング１−ａ−１８が組み込まれた状態を示す。
【００９７】
図２１はイジェクトボタン１−ａ−１４とプッシュプレート１−ａ−２０そしてスライダーＢ１−ａ−４の位置関係を示す。特にプッシュプレート１−ａ−２０がスライダーＢ１−ａ−４とどのように結合しているかを示す。スライダーＢの側部に設けられたスリット部１−ａ−４−２にプッシュプレート１−ａ−２０のフック部１−ａ−２０−１が移動可能に挿入されている。
【００９８】
図２２はイジェクト時におけるイジェクトボタン１−ａ−１４、プッシュプレート１−ａ−２０、スライダーＢ１−ａ−４、ピニオンギアー１−ａ−8、スライダーＡ１−ａ−2のリンク関係を示す図である。
【００９９】
カム押し部１−ａ−２０−３はロックバーを開放する。左側に押すとロックバーを回転させロックを開放する。
【０１００】
図２３は各スプリングの係合状態を示す図である。各スプリングの係合状態を図４を参照して説明する。イジェクトスプリングＡ１−ａ−３はスライダーＡ１−ａ−２の固定穴１−ａ−２−２（図４参照）にスプリングピン１−ａ−１１（図４参照）により固定され、反対側は右側ガイドフレーム１−ａ−１の固定穴部１−ａ−１−１（図４参照）に通したスプリングピン１−ａ−１２（図４参照）により固定されている。イジェクトスプリングＢ１−ａ−５は、スライダーＢ１−ａ−４のフック部１−ａ−４−１（図４参照）に固定され、反対側は右側ガイドフレーム１−ａ−１の固定穴部１−ａ−１−２に通したスプリングピン１−ａ−１３により固定されている。イジェクトスプリングＣ１−ａ−７はスライダーＣ１−ａ−６の貫通孔１−ａ−６−１（図４参照）に通したピン１−ａ−１４（図４参照）により固定され、反対側はスライダーＡ１−ａ−２のフック部１−ａ−２−４（図４参照）に固定されている。
【０１０１】
またイジェクトボタン圧縮スプリング１−ａ−１９がイジェクトボタン１−ａ−１４とスライダーＢ１−ａ−４との間に組み込まれている。圧縮スプリング１−ａ−２１（図４参照）がスライダーＢ１−ａ−４の中に組み込まれており、片側はスライダーＢ１−ａ−４の貫通穴に挿入されたスプリングピン１−ａ−２２（図４参照）で固定されている。ロックスプリング１−ａ−２５（図４参照）は右側ガイドフレーム１−ａ−１とロックプレート１−ａ−２４の間に組み込まれている。
【０１０２】
図２４は右側ガイドフレーム１−ａ−１のカム溝形状１−ａ−１−４の斜視図である。カム溝形状１−ａ−１−４とカム溝形状に沿って移動するカムピン１−ａ−１５の位置の詳細を示す。通常ハートカムと呼ばれているものである。カムピン１−ａ−１５はイジェクトボタン１−ａ−１４にその一端１−ａ−１８−１が固定されたカムスプリング１−ａ−１８の他端部１−ａ−１８−２によって常時カム溝底部の方向に付勢されている。このため、カムピン１−ａ−１５の先端部はカム溝形状１−ａ−１−４のカム溝底部１−ａ−１−６に沿って移動する。ａ〜ｄはカムプレート１−ａ−１６に取り付けられ、カム溝形状およびかむ溝底部に従って移動するカムピン１−ａ−１５の位置を示す。カム溝底部の高さはｃ＞ｄ＞ｅ＞ａ＞ｂの順で高い。ｄｅ間、ｅａ間、ａｂ間には段差部１−ａ−１−７、１−ａ−１−８、１−ａ−１−９、１−ａ−１−１０が設けられ、ｂｃ間は傾斜部１−ａ−１−１１が設けられている。
【０１０３】
ａは記憶装置２が挿入された状態におけるカムピンの位置を示す。ｂは記憶装置２をイジェクトするため、イジェクトボタンを手で押した場合（１回目）におけるカムピンの移動位置を示す。次にイジェクトボタンから手を離すとイジェクトボタンに設けられたスプリング１−ａ−１９に付勢されてイジェクトボタンは着脱作動装置１から飛び出す。イジェクトボタンの移動に伴ってカムピンは傾斜部１−ａ−１−１１に沿ってｂからｃに移動し、そしてｄに移動する。ｂは段差部１−ａ−１−９によりａより一段下がっているため、ｂからａに戻ることはできない。ｃはイジェクト時にイジェクトボタン１−ａ−１４が飛び出したときのカムピン１−ａ−１５の移動位置を示す。カム溝底部１−ａ−１−６において最高の高さを示す位置である。ｄはイジェクトボタン１−ａ−１４が最大に飛び出したときのカムピン１−ａ−１５の移動位置を示す。図９の状態に対応する。
【０１０４】
再度イジェクトボタン１−ａ−１４を右方向に押すことによって（２回目）記憶装置２が排出される。カムピン１−ａ−１５はｄからｅに移動する。ｄはｃより一段下がっているためｄからｃに戻ることはない。ｅは記憶装置２が排出される工程におけるカムピン１−ａ−１５の位置を示す。図１１および図１２に対応する。
【０１０５】
図３２上側は上記説明の右側ガイドフレーム１−ａ−１のカム溝形状１−ａ−１−４の平面図である。
【０１０６】
図３２下側は一般のカム溝形状の平面図である。
【０１０７】
本発明での溝形状の違いは一般のカム形状はd位置とe位置は直線上にあるが本発明ではe位置の手前で曲げてe位置をロック位置a位置と同一直線状にした点である。これはイジェクトボタン１−ａ−１４が着脱作動装置内に自動的に収納され、かつ着脱作動装置が完全に挿入された後に係止手段による停止を解除した後にイジェクトボタン１−ａ−１４が排出方向に移動させる為に必要なカム溝形状となる。
【０１０８】
すなわち記憶装置２が挿入される工程でイジェクトボタン１−ａ−１４は着脱作動装置内に収納されておりカムピン１−ａ−１５はe位置に停止しているが、記憶装置２の挿入に伴いスライダーＢ１−ａ−４と共にプッシュプレート１−ａ−２０が左方向に移動する必要がある為、一般のカム形状ではカムプレート１−ａ−１６の押し部１−ａ−１６−１がプッシュプレート１−ａ−２０の受け部（図２７においては鉤状の部分）１−ａ−２０−５と干渉してプッシュプレート１−ａ−２０の移動が妨げられる。本カム溝形状ではイジェクトボタン収納状態でカムプレート１−ａ−１６を回転させることでプッシュプレート１−ａ−２０との干渉を回避してプッシュプレート１−ａ−２０の移動を可能にさせた。
【０１０９】
カムピン１−ａ−１５の上記移動に伴ってカムプレート１−ａ−１６はカムシャフト１−ａ−１７を軸として図２６および図２７に示すように回転することになる。
【０１１０】
図２５はカム溝形状１−ａ−１−４とカムピン１−ａ−１５の位置関係を示す。イジェクトボタン１−ａ−１４とカムプレート１−ａ−１６は実際の組立て位置より上方に持ち上げた状態で示している。実際の組立て位置ではカムピン１−ａ−１５の先端はカム溝形状１−ａ−１−４の中に入り、カム溝底部１−ａ−１−６と接触する状態で動作する。
【０１１１】
図２６および図２７はカムプレート１−ａ−１６の回転をおよびプッシュプレート１−ａ−２０、およびロックプレート１−ａ−２４の結合関係を示す図である。図２６は記憶装置が装着されロックされている状態を示す。ロックプレート１−ａ−２４はロックシャフト１−ａ−２３を軸に反時計回りに回転しロックプレートのロック部１−ａ−２４―３がロック溝２−１（図示せず。図７参照）に入り込んだ状態を示す。図８および図９の状態が対応する。図２７はプッシュプレート１−ａ−２０が左方向に移動し、ロック制御部１−ａ−２０−２のカム押し部１−ａ−２０−３がロックプレートロック制御部１−ａ−２４−２の溝部１−ａ−２４−４の中に入ることによりロックプレート１−ａ−２４をロックシャフト１−ａ−２３を軸に時計回りに回転させ、ロック部１−ａ−２４―３を記憶装置のロック溝２−１（図示せず）から開放した状態を示す。例えば図１０の状態に対応する。
【０１１２】
図２７はロックプレートのロック部１−ａ−２４−３によるロックが解除された状態を示す。図２８はスライダーＢのスリット部１−ａ−４−２とプッシュプレート１−ａ−２０のフック部１−ａ−２０−１の位置関係を示す。実際の使用状態では図２１に示すようにフック部１−ａ−２０−１はスリット部１−ａ−４−２の中に挿入された状態で動作する。
【０１１３】
また図２７および２８はイジェクトボタン１−ａ−１４を押すことにより、イジェクトボタンに取り付けられたカムプレート１−ａ−１６によりプッシュプレート１−ａ−２０を右方向に移動させる状態を示している。カムプレート１−ａ−１６の回転によって、カムプレート１−ａ−１６によりプッシュプレート１−ａ−２０が押されるかどうかが決定される。
【０１１４】
ロックが完全に解除された後、スライダーＢ１−ａ−４のスリット部１−ａ−４−２内に挿入されているプッシュプレート１−ａ−２０のフック部１−ａ−２０−１によりスライダーＢが左方向に押される。スリット部１−ａ−４−２はロックが完全に解除された後にフック部１−ａ−２０−１により押されるように、その長さはフック部１−ａ−２０−１の幅より大きく形成される。
【０１１５】
図２９および図３０はロックプレート１−ａ−２４の終端部１−ａ−２４−１とイジェクトボタン１−ａ−１４のロック部１−ａ−１４―１との結合状態を示す。図２９は例えば図１４または図１７の状態における断面図である。イジェクトボタン１−ａ−１４のロック部１−ａ−１４―１が右側ガイドフレーム１−ａ−１のロック部１−ａ−１−５にロックされている状態を示す（図２９（ｂ）。図２９（ａ）はこの状態におけるロックプレート１−ａ−２４の配置状態を示し、ロックプレートの終端部１−ａ−２４−１とイジェクトボタン１−ａ−１４のロック部１−ａ−１４―１に設けられたタブ１−ａ−１４−３の位置関係を示す。記憶装置が完全に挿入されロックされるまでイジェクトボタン１−ａ−１４を収納しておくためにロック部１−ａ−１４―１によるロックが行なわれる。イジェクトボタン１−ａ−１４が外へ出るのを防ぐ。
【０１１６】
図３０はロックプレート１−ａ−２４の回転によりイジェクトボタン１−ａ−１４のロックが解除された状態を示す。図３０（ａ）に示すようにロックプレートの終端部１−ａ−２４−１が反時計方向に回転することにより、イジェクトボタンのロック部１−ａ−１４―１に固定されているタブ１−ａ−１４−３を上方向に移動させる。このため図３０（ｂ）に示すようにタブ１−ａ−１４−３と一体に形成されているロック部１−ａ−１４―１も上向に移動する。このためロック部１−ａ−１４―１は右側ガイドフレーム１−ａ−１のロック部１−ａ−１−５から離れ開放されることによりイジェクトボタン１−ａ−１４は右方向への移動が可能となる。
【０１１７】
図３１に基板アセンブリ１−ａ−２９の一実施例を示す。この実施例においては着脱式外部記憶装置２検出スイッチ１−ａ−４０、ロックバー検出スイッチ１−ａ−４１、イジェクトボタン位置検出スイッチ１−ａ−４２、および外部装置接続コネクタ１−ａ−４３が装着されている。これらのスイッチを使用して、着脱式外部記憶装置２の挿入状態、イジェクトボタン１−ａ−１４の移動位置、着脱作動装置１の動作状態（例えばロックの解除の有無、ハードディスク等の存在の有無、ハードディスク等が完全に挿入されたかどうか等）を検出することができる。外部装置接続コネクタ１−ａ−４３は着脱式外部記憶装置２を使用する外部装置との電気的接続を行なうために使用することができる。
【０１１８】
スライダＡ、Ｂ、Ｃは、それぞれイジェクトスプリングＡ１−ａ−３、イジェクトスプリングＢ１−ａ−５、およびイジェクトスプリングＣ１−ａ−７により記憶装置の排出方向に付勢されている。このためこれらのスプリングのアシストにより低荷重で記憶装置２を着脱作動装置１から取り出すことができる。
【０１１９】
以上、本発明の原理を特定の実施例により説明したが、上記説明は単なる例示に過ぎず、本発明の技術的範囲を制限するものではないことが明らである。当業者は、本発明の要旨の範囲内において、上記実施の形態に記載の内容を自由に変更して実施することが可能である。また特許請求の範囲の均等範囲に属する変形や変更は、本発明の範囲内のものである。
【図面の簡単な説明】
【０１２０】
【図１】本発明において着脱作動装置に着脱式外部記憶装置が挿入される前の状態を示す斜視図である。
【図２】本発明において着脱作動装置内に着脱式外部記憶装置が完全に挿入された状態を示す斜視図である。
【図３】本発明における着脱作動装置の主要な構成部品を示す部品分解図である。
【図４】本発明におけるガイドフレーム右側アセンブリの構成部品を示す図である。
【図５】本発明におけるガイドフレーム左側アセンブリの構成部品を示す図である。
【図６】本発明において着脱作動装置から着脱式外部記憶装置が排出されている状態について示す断面図である。
【図７】本発明において着脱式外部記憶装置が着脱作動装置に挿入途中の状態を示す断面図である。
【図８】本発明において着脱式外部記憶装置が着脱作動装置内に完全挿入されるまでの状態を示す断面図である。
【図９】本発明において着脱式外部記憶装置が着脱作動装置からイジェクトされる工程１を示す図である。
【図１０】本発明において着脱式外部記憶装置が着脱作動装置からイジェクトされる工程２を示す断面図である。
【図１１】本発明において着脱式外部記憶装置が着脱作動装置からイジェクトされる工程３を示す断面図である。
【図１２】本発明において着脱式外部記憶装置が着脱作動装置からイジェクトされる工程４を示す断面図である。
【図１３】本発明において着脱式外部記憶装置が着脱作動装置からイジェクトされる工程４において仮ロックされている状態の断面を示す図である。
【図１４】本発明においてイジェクトボタンのロック部が右側ガイドフレームのガイドのロック部に係止されている状態を示す断面図である。
【図１５】本発明においてイジェクトボタンのロック部が右側ガイドフレームのガイドのロック部に係止されている状態を示す斜視図である。
【図１６】本発明におけるスライダーＡとスライダーＣの組み合わせ関係を示す図である。
【図１７】本発明におけるロックプレートの終端部とイジェクトボタンの先端のロック部の位置関係を示す図である。
【図１８】本発明におけるイジェクトボタンおよびロックプレートが右側ガイドフレーム−アセンブリに組み込まれた状態を示す斜視図である。
【図１９】本発明におけるスライダーＡの中にスライダーＣが組み込まれた状態を示す図である。
【図２０】本発明におけるイジェクトボタン、カムプレート、カムスプリングが組み込まれた状態を示す図である。
【図２１】本発明におけるスライダーＢ、プッシュプレート、イジェクトボタンの結合状態を示す図である。
【図２２】本発明におけるイジェクトボタン、プッシュプレート、スライダーＢ、ピニオンギアー、およびスライダーＡのリンク関係を示す図である。
【図２３】本発明におけるイジェクトボタン、イジェクトボタンの凸部、リンクプレート、そしてスライダーＢの結合状態を示す図である。
【図２４】本発明における右側ガイドフレームのカム溝形状の斜視図である。
【図２５】本発明におけるカム溝形状とカムピンの位置関係を示す図である。
【図２６】本発明におけるカムプレート、プッシュプレート、およびロックプレートの結合関係を示す図である。
【図２７】本発明におけるカムプレート、プッシュプレート、およびロックプレートの結合関係を示す図である。
【図２８】本発明におけるスライダーＢのスリット部とプッシュプレートのフック部の位置関係を示す図である。
【図２９】本発明におけるロックプレートの終端部とイジェクトボタンのロック部との結合状態を示す図である。
【図３０】本発明におけるロックプレートの終端部とイジェクトボタンのロック部との結合状態を示す図である。
【図３１】本発明における基板アセンブリの実施例を示す図である。
【図３２】上側（ａ）は本発明における右側ガイドフレーム１−ａ−１のカム溝形状１−ａ−１−４の平面図である。下側（ｂ）は一般のカム溝形状の平面図である。
【符号の説明】
【０１２１】
１  …  着脱作動装置、２  …  着脱式外部記憶装置、１−ａ  …  ガイドフレーム右側−アセンブリ、１−ａ−１  …  右側ガイドフレーム、１−ａ−１−１  …  固定穴部、１−ａ−１−２  …  固定穴部、１−ａ−１−３  …  ボス部、１−ａ−１−４  …  カム溝形状、１−ａ−１−５  …  ロック部、１−ａ−６  …  カム溝底部、１−ａ−１−７  …  段差部、１−ａ−１−８  …  段差部、１−ａ−１−９  …  段差部、１−ａ−１−１０  …  段差部、１−ａ−１−１１  …  傾斜部、１−ａ−１−１４  …  平行ピン、１−ａ−１−１６  …  溝部、１−ａ−２  …  スライダーＡ、１−ａ−２−１  …  排出フック、１−ａ−２−３  …  ガイド長穴、１−ａ−２−４  …  フック部、１−ａ−２−６  …  ラック、１−ａ−２−５  …  係合部、１−ａ−２−２  …  固定穴、１−ａ−３  …  イジェクトスプリングＡ、１−ａ−４  …  スライダーＢ、１−ａ−４−１  …  フック部、１−ａ−４−２  …  スリット部、１−ａ−４−３  …  ラック、１−ａ−５  …  イジェクトスプリングＢ、１−ａ−６  …  スライダーＣ、１−ａ−６−１  …  貫通穴、１−ａ−６−２  …  係合部、１−ａ−６−４  …  排出フック、１−ａ−５  …  イジェクトスプリングＢ、１−ａ−７  …  イジェクトスプリングＣ、１−ａ−８  …  ピニオンギアー、１−ａ−９  …  ネジ、１−ａ−１０  …  ワッシャー、１−ａ−１１  …  スプリングピン１、１−ａ−１２  …  スプリングピン２、１−ａ−１３  …  スプリングピン３、１−ａ−１４  …  イジェクトボタン、１−ａ−１４−１  …  ロック部、１−ａ−１４−２  …  凸部、１−ａ−１４−３  …  タブ、１−ａ−１４−５  …  突起、１−ａ−１５  …  カムピン、１−ａ−１６  …  カムプレート、１−ａ−１６−１  …  カムプレートの押し部  、１−ａ−１７  …  カムシャフト、１−ａ−１８  …  カムスプリング、１−ａ−１８−１  …  カムスプリングの一端、１−ａ−１８−２  …  カムスプリングの他端部、１−ａ−１９  …  イジェクトボタン圧縮スプリング、１−ａ−２０  …  プッシュプレート、１−ａ−２０−１  …  フック部、１−ａ−２０−２  …  ロック制御部、１−ａ−２０−３  …  カム押し部、１−ａ−２０−５  …  受け部、１−ａ−２１  …  プレート圧縮スプリング、１−ａ−２２  …  スプリングピン、１−ａ−２３  …  ロックシャフト、１−ａ−２４  …  ロックプレート、１−ａ−２４−１  …  終端部、１−ａ−２４−２  …  ロックプレートロック制御部、１−ａ−２４−３  …  ロックプレートロック部、１−ａ−２４−４  …  溝部、１−ａ−２５  …  ロックスプリング、１−ａ−２６  …  ダンパー、１−ａ−２７  …  ストップスプリング、１−ａ−２８  …  接地ターミナル、１−ａ−２９  …  基板アセンブリ、１−ａ−３０  …  リンクプレート、１−ａ−３０−１  …  スリット、１−ａ−３０−２  …  右端部、１−ａ−４０  …  スライダ検出スイッチ、１−ａ−４１  …  ロックバー検出スイッチ、１−ａ−４２  …  イジェクトボタン位置検出スイッチ、１−ａ−５０  …  カムロック位置、１−ｂ  …  ガイドフレーム左側−アセンブリ、１−ｂ−１  …  左側ガイドフレーム、１−ｂ−２  …  ストップスプリング、１−ｂ−３  …  ＧＮＤターミナル、１−ｂ−４  …  突起ガイド、１−ｃ  …  ブラケット、１−ｃ−１  …  取り付けネジ、１−ｃ−２  …  フィルム、１−ｃ−３  …  挿入側、１−ｅ  …  冷却用のファン、１−ｆ  …  コネクタ、１−ｇ  …  ケーブルクランプフック、１−ｈ  …  筐体取り付け部品、２  …  記憶装置、２−１  …  ロック溝、２−ａ  …  相手コネクタ、２−３  …  筐体、２−４  …  挿入側端部、２−５  …  ガイド溝、２−６  …  仮固定溝、２−７  …  挿入先端部
【図１】
0005017578.tif 000002
【図２】
0005017578.tif 000003
【図３】
0005017578.tif 000004
【図４】
0005017578.tif 000005
【図５】
0005017578.tif 000006
【図６】
0005017578.tif 000007
【図７】
0005017578.tif 000008
【図８】
0005017578.tif 000009
【図９】
0005017578.tif 000010
【図１０】
0005017578.tif 000011
【図１１】
0005017578.tif 000012
【図１２】
0005017578.tif 000013
【図１３】
0005017578.tif 000014
【図１４】
0005017578.tif 000015
【図１５】
0005017578.tif 000016
【図１６】
0005017578.tif 000017
【図１７】
0005017578.tif 000018
【図１８】
0005017578.tif 000019
【図１９】
0005017578.tif 000020
【図２０】
0005017578.tif 000021
【図２１】
0005017578.tif 000022
【図２２】
0005017578.tif 000023
【図２３】
0005017578.tif 000024
【図２４】
0005017578.tif 000025
【図２５】
0005017578.tif 000026
【図２６】
0005017578.tif 000027
【図２７】
0005017578.tif 000028
【図２８】
0005017578.tif 000029
【図２９】
0005017578.tif 000030
【図３０】
0005017578.tif 000031
【図３１】
0005017578.tif 000032
【図３２】
0005017578.tif 000033